(57)【要約】      （修正有）【課題】給油装置上に設置する販売装置において、貨幣回収を安全且つ短時間に行う燃料油販売装置を提供する。【解決手段】表示操作画面４２１Ｂを備えるＰＯＳ端末機４２と、硬貨が貯留される硬貨貯留部、筐体４３Ａの表裏両面にそれぞれ開口する硬貨払出口４３４Ａ、硬貨払出口４３４Ａの下方で払い出された硬貨を収容する硬貨収容皿４３４Ｂに開口して払い出された硬貨を一括して回収する硬貨回収口４６２を備える貨幣取扱機４３とを給油部を備える給油装置上に設置する。【選択図】図４
0003172251.tif 000002
【実用新案登録請求の範囲】
【請求項１】
自動車用等の燃料油を給油する給油部を表裏両面に備えた給油装置上に設置される両面型燃料油販売装置であって、
前記表裏両面の給油部にそれぞれ対応する表示操作画面を有する表示操作部と、
該表示操作部に隣接した、前記表裏両面の給油部に対して共通の貨幣取扱部であって、筐体と、硬貨を貯留する硬貨貯留部と、前記筐体の表裏両面にそれぞれ開口して前記貯留された硬貨を払い出す硬貨払出口と、該硬貨払出口の下方に設けられ、該硬貨払出口から払い出された前記硬貨を収容する硬貨収容皿と、前記貯留された硬貨を回収するとき、前記硬貨収容皿の少なくともいずれか一方に開口して前記硬貨収容皿に払い出された前記硬貨を一括して回収する硬貨回収口を備えていることを特徴とする両面型燃料油販売装置。
【請求項２】
前記貨幣取扱部が、前記貯留された硬貨を回収するときにのみ、前記硬貨回収口を前記硬貨収容皿の少なくともいずれか一方に開口させる硬貨回収蓋を備えていることを特徴とする請求項１に記載の両面型燃料油販売装置。
【請求項３】
前記貨幣取扱部が、前記硬貨回収蓋の動作をロックする施錠手段を備えていることを特徴とする請求項２に記載の両面型燃料油販売装置。
【請求項４】
前記硬貨回収蓋が一方の端部に回転軸と他方の端部に凸部とを備え、前記硬貨収容皿が、前記凸部と嵌合する凹部と前記硬貨回収蓋が所定範囲移動可能となるように前記回転軸を支持する軸支溝とを備え、
前記硬貨回収蓋が、前記所定範囲の一方端において前記凸部を前記硬貨収容皿の凹部に嵌合させて前記硬貨回収口を遮蔽し、前記所定範囲の他方端において前記回転軸回りに回転することで前記硬貨回収口を開口させるものであることを特徴とする請求項２または３に記載の両面型燃料油販売装置。
【請求項５】
前記硬貨回収蓋が、前記所定範囲の他方端において前記硬貨回収蓋が押下されるのを受けて前記硬貨収容皿および／または前記硬貨回収蓋を変形させて前記硬貨回収口を開口させるものであることを特徴とする請求項４に記載の両面型燃料油販売装置。
【請求項６】
前記貨幣取扱部が、紙幣を貯留する紙幣貯留部と、前記筐体の表裏両面にそれぞれ開口して前記貯留された紙幣を払い出す紙幣払出口とを備え、該紙幣払出口のうち、前記硬貨回収口と同じ側に設けられた前記紙幣払出口が、前記貯留された紙幣を回収するとき、該回収される紙幣を払い出す紙幣回収口を兼ねるものであることを特徴とする請求項１〜５のいずれか１項に記載の両面型燃料油販売装置。
【請求項７】
前記紙幣払出口が、前記払い出された紙幣を前記紙幣払出口で保持するものであり、
前記紙幣回収口が、前記払い出される紙幣を前記紙幣回収口から連続排出するものであることを特徴とする請求項６に記載の両面型燃料油販売装置。
【請求項８】
前記表示操作部が、前記表示操作画面を前記表示操作部の表裏両面にそれぞれ備えるものであり、前記表示操作画面のうち、前記硬貨回収口と同じ側の前記表示操作画面が、貨幣回収の操作を表示するものであることを特徴とする請求項１〜７のいずれか１項に記載の両面型燃料油販売装置。
【考案の詳細な説明】
【技術分野】
【０００１】
本考案は自動車用等の燃料油を販売する燃料油販売装置に関する。より詳しくは、表裏両面に給油部を備えた給油装置上に設置され、表裏両面の給油部に対応する両面型燃料油販売装置に関する。
【背景技術】
【０００２】
近年、利用者自身が給油作業を行うセルフ給油方式の給油所が普及しつつある。このようなセルフ給油方式の給油所では、利用者の負担を軽減させるために給油装置の利用方法や、料金の精算を分かりやすく行うことが求められている。
【０００３】
そして、この精算方式も、現金、プリペイドカード等と多種多様であり、これらを纏めて処理するために販売時点情報管理方式（以下、ＰＯＳシステムという）が導入されている。したがって、セルフ給油方式の給油所では、ＰＯＳ端末機と貨幣取扱機とからなる燃料油販売装置が給油装置とともに設置されている。
【０００４】
特許文献１には、各レーンに対応した給油装置をアイランド上にそれぞれ設け、当該アイランド上に各給油装置に対応する両面型燃料油販売装置を独立して設けることが提案されている。
【０００５】
しかしながら、近年、精算を給油装置により近い場所で行いたいという要求や、両面型燃料油販売装置の配置スペースの制約を解消したいという要求が高まり、図１５に示すように、給油装置上に小型化した燃料油販売装置をそれぞれ設けた両面型給油販売装置が提案されている。
【０００６】
ところで、このような給油販売装置においては、貨幣取扱機内に貯留された貨幣を定期的に回収することが必要となる。特許文献２には、従来、自動販売機の分野ではあるが、専用の硬貨回収箱を設けることで貯留された硬貨を回収する技術が提案されている。また、給油販売装置における従来の回収作業では、燃料油販売装置に設けられた扉を開け、または貨幣取扱機の機構部を引き出すなどして貨幣取扱機内から貨幣を直接回収している。
【先行技術文献】
【特許文献】
【０００７】
【特許文献１】特開２００９−１９９６２８号公報
【特許文献２】実公平７−４９５９０
【考案の概要】
【考案が解決しようとする課題】
【０００８】
ところで、貨幣回収作業には、給油作業の一時的な中断を回避するため、あるいは、防犯の観点からも迅速性が要求される。しかしながら、燃料油販売装置に設けられた扉を開け、または貨幣取扱機の機構部を引き出しての貨幣取扱機内からの直接的な貨幣回収では、多くの時間を必要としてしまう。また、貨幣回収作業において、給油販売装置の扉を一時的に開けることは防犯の観点からも望ましいものではない。
【０００９】
これらの問題を解決するため、燃料油販売装置の扉を開けずにまたは貨幣取扱機の機構部を引き出すことなく、貨幣を釣銭用の硬貨払出口や紙幣払出口から回収することが考えられるが、特に硬貨の回収に際しては、硬貨払出口から払い出されて硬貨収容皿に収容された硬貨を少量ずつ回収するため、やはり時間を要してしまう虞がある。
【００１０】
本考案は、上記事情に鑑み、給油装置上に設置する燃料油販売装置において、安全且つ短時間に貨幣回収を実現することを目的とする。
【課題を解決するための手段】
【００１１】
上記課題を解決するために、本考案による両面型燃料油販売装置は、自動車用等の燃料油を給油する給油部を表裏両面に備えた給油装置上に設置される両面型燃料油販売装置であって、表裏両面の給油部にそれぞれ対応する表示操作画面を有する表示操作部と、表示操作部に隣接した、表裏両面の給油部に対して共通の貨幣取扱部であって、筐体と、硬貨を貯留する硬貨貯留部と、筐体の表裏両面にそれぞれ開口して貯留された硬貨を払い出す硬貨払出口と、硬貨払出口の下方に設けられ、硬貨払出口から払い出された硬貨を収容する硬貨収容皿と、貯留された硬貨を回収するとき、硬貨収容皿の少なくともいずれか一方に開口して硬貨収容皿に払い出された硬貨を一括して回収する硬貨回収口を備えていることを特徴とする。ここで、本考案の両面型燃料油販売装置における「表裏両面の給油部に対して共通」とは、表裏両面の給油部の給油における貨幣の取扱に対して共通に用いられるという意味である。
【００１２】
また、本考案による両面型燃料油販売装置は、貨幣取扱部が、貯留された硬貨を回収するときにのみ、硬貨回収口を硬貨収容皿の少なくともいずれか一方に開口させる硬貨回収蓋を備えているものであってもよい。また、本考案による両面型燃料油販売装置は、貨幣取扱部が、硬貨回収蓋の動作をロックする施錠手段を備えているものであってもよい。
【００１３】
また、本考案による両面型燃料油販売装置は、硬貨回収蓋が一方の端部に回転軸と他方の端部に凸部とを備え、硬貨収容皿が、凸部と嵌合する凹部と硬貨回収蓋が所定範囲移動可能となるように回転軸を支持する軸支溝とを備え、硬貨回収蓋が、所定範囲の一方端において凸部を硬貨収容皿の凹部に嵌合させて硬貨回収口を遮蔽し、所定範囲の他方端において回転軸回りに回転することで硬貨回収口を開口させるものであってもよい。
【００１４】
また、本考案による両面型燃料油販売装置は、硬貨回収蓋が、所定範囲の他方端において硬貨回収蓋が押下されるのを受けて硬貨収容皿および／または硬貨回収蓋を変形させて硬貨回収口を開口させるものであってもよい。
【００１５】
また、本考案による両面型燃料油販売装置は、貨幣取扱部が、紙幣を貯留する紙幣貯留部と、筐体の表裏両面にそれぞれ開口して貯留された紙幣を払い出す紙幣払出口とを備え、紙幣払出口のうち、硬貨回収口と同じ側に設けられた紙幣払出口が、貯留された紙幣を回収するとき、回収される紙幣を払い出す紙幣回収口を兼ねるものであってもよい。
【００１６】
また、本考案による両面型燃料油販売装置は、紙幣払出口が、払い出された紙幣を紙幣払出口で保持するものであり、紙幣回収口が、払い出される紙幣を紙幣回収口から連続排出するものであってもよい。ここで、本考案の両面型燃料油販売装置における「紙幣回収口から連続排出」とは、紙幣回収口から紙幣を保持することなく、連続して排出することを意味する。
【００１７】
また、本考案による両面型燃料油販売装置は、表示操作部が、表示操作画面を表示操作部の表裏両面にそれぞれ備えるものであり、表示操作画面のうち、硬貨回収口と同じ側の表示操作画面が、貨幣回収の操作を表示するものであってもよい。
【考案の効果】
【００１８】
本考案の両面型燃料油販売装置によれば、表裏両面の給油部にそれぞれ対応する表示操作画面を備える表示操作部と、表示操作部に隣接した、表裏両面の給油部に対して共通の貨幣取扱部であって、筐体と、硬貨を貯留する硬貨貯留部と、筐体の表裏両面にそれぞれ開口して貯留された硬貨を払い出す硬貨払出口と、硬貨払出口から払い出された硬貨を収容する硬貨収容皿と、貯留された硬貨を回収するとき、硬貨収容皿の少なくともいずれか一方に開口して硬貨収容皿に払い出された硬貨を一括して回収する硬貨回収口を備えたことにより、貯留された硬貨を貨幣取扱部の表面または裏面から一括して回収できるため、安全且つ短時間に貨幣回収ができる。
【図面の簡単な説明】
【００１９】
【図１】両面型給油販売装置の外観正面図
【図２】両面型給油販売装置の外観背面図
【図３】両面型燃料油販売装置の外観正面図
【図４】両面型燃料油販売装置の外観背面図
【図５】両面型燃料油販売装置の外観平面図
【図６】セルフ方式の給油所における給油システムの構成図
【図７】貨幣取扱機の外観斜視図
【図８】硬貨回収部の外観斜視図
【図９】硬貨回収蓋の構造図
【図１０】硬貨回収蓋の取り付けおよび開閉動作を示す図
【図１１】かんぬきの取り付けおよび施錠動作を示す図
【図１２】硬貨回収部のロック状態を示す図
【図１３】硬貨回収部のアンロック状態を示す図
【図１４】貨幣取扱機の構成図
【図１５】従来の両面型給油販売装置の構成図
【考案を実施するための形態】
【００２０】
以下、本考案の一実施形態について図面を用いて説明する。図１および図２は、本考案による両面型燃料油販売装置の一実施形態を用いた両面型給油販売装置１の構成を示すものである。両面型給油販売装置１は、アイランド上に配置され、両面型給油販売装置１の表裏両側の各レーンに停車する車両に給油を行うとともに、各レーンでの給油におけるガイダンスや精算を行うものである。本実施形態において、図１は両面型給油販売装置１を表側からみた外観正面図、図２は両面型給油販売装置１を裏側からみた外観背面図とする。なお、本実施形態における表裏は特に限定されるものではない。
【００２１】
両面型給油販売装置１は、図１および図２が示すように、門型のフレーム２と、フレーム２内に配設された給油装置３と、給油装置３上に配設された本考案の一実施形態である両面型燃料油販売装置４とから構成されている。
【００２２】
最初に給油装置３について説明する。給油装置３は、両面型燃料油販売装置４に隣接する給油表示部３１と、複数の油種、たとえばレギュラーガソリン、ハイオクガソリン、軽油の３油種を給油できる給油部３２Ａ，３２Ｂを表裏両面にそれぞれ備えている。給油表示部３１は、実際に給油した給油量や燃料油の単価等を示す給油表示画面３１Ａ，３１Ｂを表裏両面にそれぞれ有している。
【００２３】
給油部３２Ａ，３２Ｂは、油種毎の給油ノズル３２１Ａ，３２１Ｂ、給油ノズル３２１Ａ，３２１Ｂを保持するノズル保持部３２２Ａ，３２２Ｂ、および先端が給油ノズル３２１Ａ，３２１Ｂに接続され、フレーム２内を通り、基端が両面型給油販売装置１下の不図示の油圧機構部に接続されている給油ホース３２３Ａ，３２３Ｂを備えている。
【００２４】
次に本考案の一実施形態である両面型燃料油販売装置４について説明する。図３は、図１を要部拡大した両面型燃料油販売装置４の外観正面図、図４は図２を要部拡大した両面型燃料油販売装置４の外観背面図である。図５は両面型燃料油販売装置４の外観平面図である。
【００２５】
両面型燃料油販売装置４は、給油部３２Ａ，３２Ｂでの給油に対するガイダンス、精算および領収書の発行を行うものである。そして、両面型燃料油販売装置４は、シャーシ４１、シャーシ４１内に収容された１台のＰＯＳ端末機４２およびＰＯＳ端末機４２と隣接してシャーシ４１内に収容された１台の貨幣取扱機４３で構成されている。なお、ＰＯＳ端末機４２は、表面側および裏面側にそれぞれ分割されて構成されたものであってもよい。
【００２６】
シャーシ４１は給油装置に組み込まれるＰＯＳ端末機の日本国内業界標準規格の大きさを有するものであり、両面型燃料油販売装置４は、当該規格を満たす設置スペースを有する給油装置３上であれば設置可能であり、汎用性を有している。すなわち両面型燃料油販売装置４は、剛性の高い鋼製等のシャーシ４１にＰＯＳ端末機４２と貨幣取扱機４３とが組み付けられて、全体として一体として構成されている。
【００２７】
両面型燃料油販売装置４の詳細を説明する前に、両面型給油販売装置１を設置したセルフ給油方式の給油所における給油システムについて説明する。図６は給油システムの構成図である。
【００２８】
セルフ給油方式の給油所においては、図６に示すようにＰＯＳシステムが導入されている。このＰＯＳシステムでは、給油所内に設置したＰＯＳ本体機５とＰＯＳ端末機４２とをＰＯＳ専用ＬＡＮで接続し、ＰＯＳ本体機５、給油装置３および貨幣取扱機４３を給油所標準規格ＬＡＮ（以下、ＳＳ−ＬＡＮという。）で接続している。また、ＰＯＳ端末機４２と貨幣取扱機４３とは不図示のケーブルを介して外部接続している。なお、本実施形態では、貨幣取扱機４３が、ＳＳ−ＬＡＮおよび外部接続の２つの経路で通信するものとして説明するが、ＰＯＳ本体機５との通信内容を外部接続のみを使用して、ＰＯＳ端末機４２を経由して通信する構成であってもよい。
【００２９】
このＰＯＳシステムにおける給油作業の開始から精算終了までの処理について説明する。ＰＯＳ端末機４２が、人物感知センサ等により利用者の接近を感知すると、両面型給油販売装置１の利用案内のガイダンスを開始する。次に、ＰＯＳ端末機４２は、給油作業に先立って利用者による油種、給油量および精算方式等の給油条件を受け付け、受け付けた各種情報をＰＯＳ専用ＬＡＮを介してＰＯＳ本体機５へ送信する。
【００３０】
現金による精算の場合、貨幣取扱機４３が、硬貨および／または紙幣による入金を受け付け、入金額をＳＳ−ＬＡＮを介してＰＯＳ本体機５へ送信する。また、現金以外のクレジットカード、プリペイドカードまたは電子マネーによる精算の場合、ＰＯＳ端末機４２が各種カード、電子マネー等の情報を読み取り、ＰＯＳ本体機５へ送信する。
【００３１】
給油所の販売員が給油作業を安全に行えることを確認すると、ＰＯＳ本体機５が給油装置３に利用許可を送信する。利用者がノズル保持部３２２Ａ，３２２Ｂから給油ノズル３２１Ａ，３２１Ｂを取り外して給油作業を開始する。
【００３２】
給油装置３が、給油を開始して給油表示画面３１Ａ，３１Ｂに実際の給油量を表示する。利用者が給油ノズル３２１Ａ，３２１Ｂをノズル保持部３２２Ａ，３２２Ｂに戻して給油作業を終了する。給油装置３は、給油中に実際に給油した油種、給油量をＳＳ−ＬＡＮを介してＰＯＳ本体機５へ送信する。ＰＯＳ本体機５が、料金を計算し、ＰＯＳ専用ＬＡＮを介してＰＯＳ端末機４２に精算結果とレシートの発行情報を送信し、釣銭に関する情報はＳＳ−ＬＡＮを介して貨幣取扱機４３に送信する。
【００３３】
現金による精算であって釣銭が必要な場合、貨幣取扱機４３が、硬貨および／または紙幣の出金を行う。現金以外の精算である場合、ＰＯＳ本体機５が、読み取ったカード等の情報に基づいて精算処理を行う。そして、ＰＯＳ端末機４２が領収書の発行を行う。
【００３４】
再び図３ないし図５を参照して説明する。ＰＯＳ端末機４２は、ＰＯＳ端末機４２の筐体４２Ａの表裏両面に、表示操作画面４２１Ａ，４２１Ｂ、クレジットカードやプリペイドカード等の各種カード情報を読み取るカード情報読取部４２５Ａ，４２５Ｂ、電子マネー媒体の情報を読み取る電子マネー情報読取部４２３Ａ，４２３Ｂ、音声ガイダンスを行うスピーカ４２４Ａ，４２４Ｂおよび領収書を発行する領収書発行部４２２Ａ，４２２Ｂをそれぞれ備えている。なお、ＰＯＳ端末機４２は、表示操作画面４２１Ａ，４２１Ｂ以外の上記の構成（不図示のインター本を含む）を機能要求に応じて適宜取捨選択できるものである。
【００３５】
表示操作画面４２１Ａ，４２１Ｂは、液晶画面と当該液晶表示画面の前面に設けられたタッチパネルで構成され、ガイダンスの表示、給油条件の受け付けおよび貨幣取扱機４３のメンテナンス操作を行うものである。
【００３６】
カード情報読取部４２５Ａ，４２５Ｂは、不図示のカード挿入口に挿入された各種カードの情報を読み取るものである。電子マネー情報読取部４２３Ａ，４２３Ｂは、電子マネー媒体の情報を読み取るものである。領収書発行部４２２Ａ，４２２Ｂは、内蔵されたプリンタで印刷された領収書を不図示のレシート排出口から排出するものである。また、ＰＯＳ端末機４２は、前述の通り、不図示の人物感知センサを備えるものである。
【００３７】
貨幣取扱機４３は、表裏両側の給油部３２Ａ，３２Ｂによる給油代金の現金による入金および出金（釣銭）に対して、入金用の紙幣および／または硬貨の受け取りおよび貯留、出金用の紙幣および／または硬貨の貯留および払い出しを行うものである。貨幣取扱機４３は、図３および図４に示すように、入金用の硬貨が投入される硬貨投入部４３１，４３２、出金用の硬貨が払い出される硬貨払出部４３３，４３４、入金用および出金用の紙幣が投入および払い出される紙幣投入払出部４３５，４３６を筐体４３Ａの表裏両面にそれぞれ備えている。
【００３８】
硬貨投入部４３１，４３２は、筐体４３Ａの表裏両面に開口する硬貨投入口４３１Ａ，４３２Ａ、筐体４３Ａに開閉自在に支持されて硬貨投入口４３１Ａ，４３２Ａを露出または遮蔽する投入扉４３１Ｂ，４３２Ｂを備えている。利用者は、投入扉４３１Ｂ，４３２Ｂを開けて硬貨投入口４３１Ａ，４３２Ａに硬貨を１枚ずつ投入する。
【００３９】
硬貨払出部４３３，４３４は、筐体４３Ａの表裏両面に開口する硬貨払出口４３３Ａ，４３４Ａ、筐体４３Ａから突出し、硬貨払出口４３３Ａ，４３４Ａの下方で払い出された硬貨を収容する硬貨収容皿４３３Ｂ，４３４Ｂ、筐体に開閉自在に支持されて硬貨払出口４３３Ａ，４３４Ａを露出または遮蔽する払出扉４３３Ｃ，４３４Ｃを備えている。利用者は、払出扉４３３Ｃ，４３４Ｃを開けて硬貨払出口４３３Ａ，４３４Ａから払い出されて硬貨収容皿４３３Ｂ，４３４Ｂに収容されている硬貨を受け取る。
【００４０】
紙幣投入払出部４３５，４３６は、筐体４３Ａの表裏両面に開口する紙幣投入払出口４３５Ａ，４３６Ａ、筐体４３Ａに開閉自在に支持されて紙幣投入払出口４３５Ａ，４３６Ａを露出または遮蔽する投入払出扉４３５Ｂ，４３６Ｂを備えている。利用者は、投入払出扉４３５Ｂ，４３６Ｂを開けて紙幣投入払出口４３５Ａ，４３６Ａに紙幣を投入、または紙幣投入払出口４３５Ａ，４３６Ａから紙幣を受け取る。この紙幣投入払出口４３５Ａ，４３６Ａは、釣銭用として紙幣を払い出す際、払い出した紙幣を紙幣投入払出口４３５Ａ，４３６Ａで保持して利用者による紙幣の受け取りを待機するものである。
【００４１】
また、貨幣取扱機４３は、貨幣取扱機４３内に貯留された硬貨を一括して回収する硬貨回収部４６を硬貨収容皿４３３Ｂ，４３４Ｂの少なくともいずれか一方に備えている。図７は、硬貨回収部４６を裏面側の硬貨収容皿４３４Ｂに設けた貨幣取扱機４３の要部拡大した外観斜視図である。また、図８は硬貨回収部４６の外観斜視図である。なお、図８においては理解を容易にするため、払出扉４３４Ｃの図示は省略している。
【００４２】
硬貨回収部４６は、図８に示すように、硬貨収容皿４３４Ｂに設けられた硬貨回収蓋４６１を備えている。図９は、硬貨回収蓋４６１の構成図であり、図９の上図は硬貨回収蓋４６１の平面図、図９の中図は当該平面図を図中矢印Ａ方向からみた正面図、図９の下図は当該平面図を図中矢印Ｂ方向からみた側面図である。
【００４３】
硬貨回収蓋４６１には、図９に示すように、蓋本体４６１Ａの一方の端部に所定間隔を空けて配置されたリブ４６１Ｂが形成されており、各リブ４６１Ｂを挿通するように回転軸４６１Ｃが保持されている。本実施形態では、この回転軸４６１Ｃが、蓋本体４６１Ａの別部材として説明するが、蓋本体４６１Ａと同一の部材として機械加工や、射出成型等によって形成されたものであってもよい。また、複数のリブ４６１Ｂは必ずしも必要ではない。硬貨回収蓋４６１は、蓋本体４６１Ａから回転軸４６１Ｃの軸方向にそれぞれ突出するストッパ４６１Ｄ、蓋本体４６１Ａの他方の端部に形成された凸部４６１Ｅ、蓋本体４６１Ａの裏面から突出する舌部４６１Ｆを有している。
【００４４】
図１０は、硬貨回収蓋４６１の取り付けおよび開閉動作を示すものであり、硬貨回収蓋４６１および硬貨収容皿４３４Ｂの断面図である。硬貨収容皿４３４Ｂには、図１０の上図に示すように、水平方向に軸支溝４３４Ｄが形成されており、硬貨回収蓋４６１は、回転軸４６１Ｃを軸支溝４３４Ｄに挿入することで、水平方向にのみ所定範囲だけ移動可能な状態で硬貨収容皿４３４Ｂに軸支されている。また、回転軸４６１Ｃは、不図示のバネ部材によって図中矢印Ａ方向に付勢されている。なお、バネ部材は、巻きばね、板ばね等であってもよく、特に限定されるものではない。
【００４５】
硬貨回収蓋４６１は、図中矢印Ａ方向に付勢されることで一方の端で凸部４６１Ｅが硬貨収容皿４３４Ｂの凹部４３４Ｅと嵌合して回転軸４６１Ｃ回りに下方に回転することが防止されている。また、紙面と直交する方向に蓋本体４６１Ａから突出するストッパ４６１Ｄが硬貨収容皿４３４Ｂと当接することで硬貨回収蓋４６１が、回転軸４６１Ｃ回りに上方に回転することも防止されている。また、硬貨回収蓋４６１は、前述の通り、回転軸４６１Ｃが挿通する複数のリブ４６１Ｂを有しているため、硬貨回収蓋４６１と硬貨収容皿４３４Ｂとは入子構造（図８参照）となっている。これにより、硬貨収容皿４３４Ｂの奥側には曲げ部が形成され、利用者に払い出された硬貨を取り出しやすくさせている。
【００４６】
したがって、貯留された硬貨を回収するときにのみ、給油所の販売員が蓋本体４６１Ａの裏面から突出する舌部４６１Ｆを図中矢印Ｂ方向に押すことにより、図１０の中図が示すように、硬貨回収蓋４６１が水平方向に移動して凸部４６１Ｅと凹部４３４Ｅとの嵌合が解除され、回転軸４６１Ｃ回りに下方にのみ回転することが可能となる。そして、給油所の販売員が硬貨回収蓋４６１を下方に押下することで硬貨収容皿４３４Ｂに硬貨回収口４６２が開口する。
【００４７】
また、単に舌部４６１Ｆを図中矢印Ｂ方向に押すことで凸部４６１Ｅと凹部４３４Ｅとの嵌合が解除されてしまうと、利用者による誤操作や、不図示のバネの機能不全によっても硬貨収容皿４３４Ｂに硬貨回収口４６２が開口する可能性がある。このため、舌部４６１Ｆを図中矢印Ｂ方向に押した際、凸部４６１Ｅと凹部４３４Ｅとの嵌合が完全に解除されるのではなく、微小な嵌めしろ、たとえば、０．１ｍｍ程度を残し、硬貨回収蓋４６１の下方への押下を受けて硬貨収容皿４３４Ｂおよび／または硬貨回収蓋４６１を変形させることで硬貨回収口４６２が開口するようにしてもよい。
【００４８】
また、硬貨回収部４６は、貯留された硬貨を回収するとき以外に不用意に硬貨回収口４６２が開口することを防止するため、硬貨回収蓋４６１の開閉動作をロックする施錠手段としてのかんぬき４６３を備えている。図１１はかんぬき４６３の取り付けおよび施錠動作を示す図である。かんぬき４６３は、図１１に示すように、軸Ｂ回りに回転自在となるように基端部が筐体４３Ａに取り付けられている。図１１の下図は、上図を図中矢印Ａ方向からみた正面図であるが、かんぬき４６３は、筐体４３Ａに設けられた不図示の突起と干渉することで所定角度θに振れ角が制限されている。
【００４９】
かんぬき４６３が左側に傾くと（図１１の下図）、水平方向に移動する硬貨回収蓋４６１がかんぬき４６３の先端部と干渉し（図１１の上図）、凸部４６１Ｅと凹部４３４Ｅとの嵌合が解除されず、硬貨回収蓋４６１の下方への回転がロックされる。そして、かんぬき４６３が右側に傾くと、硬貨回収蓋４６１が水平方向に移動してもかんぬき４６３の先端部と干渉せず、硬貨回収蓋４６１の下方への回転はアンロックとなる。ここで、図１２にロック状態にある硬貨回収部４６、図１３にアンロック状態にある硬貨回収部４６を示す。硬貨回収部４６は、図１２および図１３に示すように、給油所の販売員からみてかんぬき４６３が略１１時の位置に位置するときにロック状態、略２時の位置に位置するときにアンロック状態となる。
【００５０】
再び図４を参照する。貨幣取扱機４３は、硬貨回収部４６と同じ側から紙幣も回収できるように、紙幣投入払出口４３６Ａを回収される紙幣が払い出される紙幣回収口４４６として機能させるものであってもよい。勿論、硬貨回収部４６を表側の硬貨収容皿４３３Ｂに設けた場合は紙幣投入払出口４３５Ａを紙幣回収口４４６として機能させてもよい。また、紙幣投入払出口４３５Ａ，４３６Ａが紙幣回収口４４６として機能する際、紙幣の回収を短時間で実現するために、紙幣回収口４４６は貯留された紙幣を紙幣回収口４４６で保持することなく、連続して排出させてもよい。
【００５１】
次に貨幣取扱機４３の内部を含む構成について説明する。図１４は貨幣取扱機４３の構成図である。貨幣取扱機４３は、図１４に示すように、硬貨投入口４３１Ａ，４３２Ａから投入された入金用の硬貨を搬入する硬貨搬入部４３７、搬入された硬貨の真贋と金種とを認識するとともに、各金種の枚数を計数する硬貨認識計数部４３８、真贋と金種との認識および枚数が計数された硬貨を金種別に一括して貯留する硬貨貯留部４３９、貯留された硬貨を出金用（釣銭用）として硬貨払出口４３３Ａ，４３４Ａに搬出する硬貨搬出部４４０、紙幣投入払出口４３５Ａ，４３６Ａから投入された入金用の紙幣を搬入するとともに、紙幣投入払出口４３５Ａ，４３６Ａに出金用（釣銭用）の紙幣を搬出する紙幣搬送部４４１、搬入された紙幣の真贋と金種とを認識するとともに、各金種の枚数を計数する紙幣認識計数部４４２、真贋と金種との認識および枚数が計数された紙幣を金種別に一括して貯留する紙幣貯留部４４３および制御部４４４を備えている。
【００５２】
入金された貨幣は、金種別に貯留されるため、入金された貨幣の一部は出金用の貨幣として払い出される（以下、還流と称する）。しかしながら、通常、一万円札は釣銭の対象とはならないので還流されない。なお、貨幣取扱機４３は、通常一定金額の釣銭用の準備貨幣をあらかじめ貯留して使用開始される。
【００５３】
硬貨搬入部４３７、硬貨搬出部４４０および紙幣搬送部４４１は、搬送コンベアで構成されているが、特に限定されるものではなく、表裏両面それぞれから投入された硬貨および紙幣を搬送できるものであればよく、図１４に示すように、表からの搬送、共通の搬送、裏からの搬送の３つの搬送手段から構成されることが望ましい。硬貨認識計数部４３８は、硬貨の真贋と金種、すなわち一円硬貨、五円硬貨、十円硬貨、五十円硬貨、百円硬貨および五百円硬貨を認識して各枚数を計数するものである。また、硬貨貯留部４３９は、金種毎に硬貨を一括して貯留するものであり、ホッパー式等の還流式貯留庫で構成されている。また、紙幣認識計数部４４２は、表裏それぞれから投入された紙幣の真贋と金種、すなわち千円札、二千円札、五千円札および一万円札を認識して各枚数を計数するものである。
【００５４】
制御部４４４は、貨幣取扱機４３の全体を制御するとともに、前述の通り、ＳＳ−ＬＡＮを介してＰＯＳ本体機５と入出金情報を通信し、もしくは、ＰＯＳ端末機４２と外部接続してメンテナンス情報を通信するものである。すなわち、貨幣取扱機４３内で発生するエラー情報や状態を隣接するＰＯＳ端末機４２の表示操作画面４２１Ａ，４２１Ｂを用いて、専用のメンテナンス用プログラムによって表示させることができるため、貨幣取扱機４３の内部構造体を必ずしも引き出して確認することなく情報が入手でき、保守性が向上する。
【００５５】
貨幣回収の一連の処理について説明する。給油所の販売員は、たとえば、ＰＯＳ端末機４２の貨幣補充を行う面側の表示操作画面４２１Ｂを操作して貨幣回収メニュープログラムを起動させる。これにより、表示操作画面４２１Ｂに貨幣回収の操作が表示されるとともに、ＰＯＳ端末機４２は、貨幣取扱機４３へ貨幣回収を行う旨の操作を行う指令を外部接続を介して送信する。
【００５６】
給油所の販売員が、かんぬき４６３を右側（略２時の位置）に傾け、舌部４６１Ｆを奥側に押して硬貨回収蓋４６１を奥に移動させる。そして、給油所の販売員が、硬貨回収蓋４６１を奥に移動させた状態で、払出扉４３４Ｃを空けて蓋本体４６１Ａを下方に押下するか、もしくは、舌部４６１Ｆを把持して蓋本体４６１Ａを下方に引き下ろすことにより、硬貨回収蓋４６１を下方に回転させ、硬貨収容皿４３４Ｂに硬貨回収口４６２を開口させる。硬貨搬出部４４０が硬貨貯留部４３９に貯留された硬貨を硬貨払出口４３４Ａに搬出する。硬貨払出口４３４Ａが搬送された硬貨を硬貨収容皿４３４Ｂに向けて払い出す。そして、給油所の販売員が、硬貨収容皿４３４Ｂに払い出された硬貨を硬貨回収口４６２から一括して回収する。
【００５７】
また、給油所の販売員は、投入払出蓋４３６Ｂを空け、紙幣搬送部４４１が紙幣貯留部４４３に貯留された紙幣を紙幣回収口４４６に搬出する。紙幣回収口４４６が、搬送された紙幣を連続排出し、給油所の販売員が、連続排出された紙幣を一括回収する。なお、紙幣および硬貨を回収する順序については特に限定されるものではない。
【００５８】
上記の実施形態によれば、給油部３２Ａ，３２Ｂに対応するＰＯＳ端末機４２と、硬貨が貯留される硬貨貯留部４３９、筐体４３Ａの表裏両面にそれぞれ開口して貯留された硬貨を払い出す硬貨払出口４３３Ａ，４３４Ａ、払い出された硬貨を収容する硬貨収容皿４３３Ｂ，４３４Ｂおよび硬貨収容皿４３３Ｂ，４３４Ｂの少なくともいずれか一方に開口して払い出された硬貨を一括して回収する硬貨回収口４６２を備えた貨幣取扱機４３とを備えたことにより、両面型燃料油販売装置４の扉を開けることなく、または貨幣取扱機４３の機構部を引き出すことなく貨幣取扱機４３の通常の入出金面から一括して硬貨を回収できるため、安全且つ短時間に貨幣回収ができる。
【００５９】
また、上記の実施形態によれば、貨幣取扱機４３が、紙幣が貯留される紙幣貯留部４４３と、筐体４３Ａの表裏両面にそれぞれ開口して紙幣が払い出される紙幣投入払出口４３５Ａ，４３６Ａを備え、この紙幣投入払出口４３５Ａ，４３６Ａのうち、硬貨回収口４６２と同じ側にある紙幣投入払出口４３６Ａを紙幣回収口４４６として利用することにより、硬貨回収口４６２と同じ側から紙幣が回収できるため、安全且つ短時間に回収ができる。
【符号の説明】
【００６０】
１                  両面型給油販売装置
３                  給油装置
４                  両面型燃料油販売装置
３２Ａ，３２Ｂ      給油部
４２                ＰＯＳ端末機（表示操作部）
４３                貨幣取扱機（貨幣取扱部）
４３Ａ              筐体
４６                硬貨回収部
４２１Ａ，４２１Ｂ  表示操作画面
４３３Ａ，４３４Ａ  硬貨払出口
４３４Ｄ            軸支溝
４３４Ｅ            凹部
４３５Ａ，４３６Ａ  紙幣投入払出口
４３９              硬貨貯留部
４４３              紙幣貯留部
４４６              紙幣回収口
４６１              硬貨回収蓋
４６１Ｃ            回転軸
４６１Ｅ            凸部
４６２              硬貨回収口
４６３              かんぬき（施錠手段）
【図１】
0003172251.tif 000003
【図２】
0003172251.tif 000004
【図３】
0003172251.tif 000005
【図４】
0003172251.tif 000006
【図５】
0003172251.tif 000007
【図６】
0003172251.tif 000008
【図７】
0003172251.tif 000009
【図８】
0003172251.tif 000010
【図９】
0003172251.tif 000011
【図１０】
0003172251.tif 000012
【図１１】
0003172251.tif 000013
【図１２】
0003172251.tif 000014
【図１３】
0003172251.tif 000015
【図１４】
0003172251.tif 000016
【図１５】
0003172251.tif 000017